(57)【要約】【課題】鉤部材が基枠から突出せず、遊技機の保守点検などの際に鉤部材が邪魔になることのない遊技機用施錠装置を提供する。【解決手段】施錠装置本体Ｈの基枠１が取付板２と支持板３を有して縦長に形成され、基枠１内に摺動杆６が支持板３に沿って摺動可能に配設され、支持板３の上部と下部に係止部４，５が設けられる。基枠１の取付板２にシリンダ錠７がその錠軸を内側に挿入して取り付けられ、錠軸の先端に摺動杆６と係合可能なカム部材８が固定される。摺動杆６の上部と下部に解錠動作部６１，６２が設けられる。受け金具２０の上部と下部に鉤部材２４，２５が傾動可能に枢支され、鉤部材２４，２５を施錠方向に付勢するコイルばね２８，２９が設けられる。【選択図】図１
2004254935.tif 000002
【特許請求の範囲】
【請求項１】
遊技機の前扉の内側に装着される施錠装置本体と、該遊技機の筐体内の該施錠装置本体と対応した位置に装着される受け金具とからなる遊技機用施錠装置であって、
該施錠装置本体の基枠が取付板と支持板を有して縦長に形成され、該基枠内に摺動杆が該支持板に沿って摺動可能に配設され、該支持板の上部と下部に係止部が設けられ、該基枠の取付板にシリンダ錠がその錠軸を内側に挿入して取り付けられ、該錠軸の先端に該摺動杆と係合可能なカム部材が固定され、該摺動杆の上部と下部に解錠動作部が設けられ、該受け金具の上部と下部に鉤部材が傾動可能に枢支され、該鉤部材を施錠方向に付勢するばね部材が設けられ、該筐体に対し該前扉を閉じると、該前扉側の基枠の上部と下部の係止部が該筐体側の受け金具の鉤部材に係合して該鉤部材が傾動することにより、該係止部に係止されて該前扉を施錠することを特徴とする遊技機用施錠装置。
【請求項２】
前記施錠装置本体の基枠の支持板に設けた係止部は、該支持板の延設部を曲折して形成され、前記摺動杆の上部と下部に設けた解錠動作部が該係止部の内側に配置され、前記カム部材は、シリンダ錠の非操作時、摺動杆の係合部と係合して該摺動杆の摺動を阻止するように構成されたことを特徴とする請求項１記載の遊技機用施錠装置。
【請求項３】
前記受け金具の上部と下部には、前記鉤部材を枢支する支持部が該受け金具の取付面から離れて形成され、該鉤部材が該受け金具の基枠の内側に配設されたことを特徴とする請求項２記載の遊技機用施錠装置。
【発明の詳細な説明】
【０００１】
【発明の属する技術分野】
本発明は、スロットマシン、パチンコ機などの遊技機の前扉（前面枠）を筐体（本体枠）に対し施錠する施錠装置に関し、特に鉤部材が基枠から突出しない構造の遊技機用施錠装置に関する。
【０００２】
【従来の技術】
遊技機の前面枠（前扉）を本体枠に対し施錠する施錠装置として、略断面Ｌ字状の取付板と支持板からなる基枠の内側に、摺動杆が摺動可能に配設され、支持板の上部と下部に鉤部材が摺動杆に連結されて傾動可能に枢支され、取付板の中間部にシリンダ錠がその錠軸を取付板に設けた孔から内側に差込むように固定され、錠軸の先端に摺動杆と係合するカム部材が固定されてなる施錠装置が、下記特許文献１などにより知られている。
【０００３】
【特許文献１】
実公昭５８−４１９９８号公報
【０００４】
【発明が解決しようとする課題】
この種の施錠装置は、遊技機の前面枠の自由端の内側に、その鉤部材を本体枠側に向けて縦に固定され、本体枠の内側には、上下の鉤部材に対向する位置に、受け金具が固定され、前面枠を閉じたとき、それらの鉤部材が受け金具に係止されて施錠される。また、鉤部材は、本体枠側の受け金具に係止されて施錠されることから、基枠から突出した構造となっている。
【０００５】
このため、前面枠の内側に取り付けた状態の施錠装置では、鉤部材が内側に突き出した状態となるため、遊技機の前面枠を開いて保守点検作業などを行なう際、前面枠の内側に多くの電気機械部品が装着されていることもあって、施錠装置の鉤部材が保守点検作業などの邪魔になる問題があった。
【０００６】
本発明は、上記の課題を解決するためになされたもので、鉤部材が基枠から突出せず、遊技機の保守点検などの際に鉤部材が邪魔になることのない遊技機用施錠装置を提供することを目的とする。
【０００７】
【課題を解決するための手段】
上記の目的を達成するために、本発明の施錠装置は、遊技機の前扉の内側に装着される施錠装置本体と、遊技機の筐体内の施錠装置本体と対応した位置に装着される受け金具とからなる遊技機用施錠装置であって、施錠装置本体の基枠が取付板と支持板を有して縦長に形成され、基枠内に摺動杆が支持板に沿って摺動可能に配設され、支持板の上部と下部に係止部が設けられ、基枠の取付板にシリンダ錠がその錠軸を内側に挿入して取り付けられ、錠軸の先端に摺動杆と係合可能なカム部材が固定され、摺動杆の上部と下部に解錠動作部が設けられ、受け金具の上部と下部に鉤部材が傾動可能に枢支され、鉤部材を施錠方向に付勢するばね部材が設けられ、筐体に対し前扉を閉じると、前扉側の基枠の上部と下部の係止部が筐体側の受け金具の鉤部材に係合して鉤部材が傾動することにより、係止部に係止されて前扉を施錠することを特徴とする。
【０００８】
ここで、上記構成の遊技機用施錠装置において、請求項２のように、施錠装置本体の基枠の支持板に設けた係止部は、支持板の延設部を曲折して形成され、摺動杆の上部と下部に設けた解錠動作部を係止部の内側に配置し、さらに、カム部材は、シリンダ錠の非操作時、摺動杆の係合部と係合して摺動杆の摺動を阻止するように構成するとよい。
【０００９】
また、請求項３のように、受け金具の上部と下部に、鉤部材を枢支する支持部を、受け金具の取付面から離れて形成し、鉤部材を受け金具の基枠の内側に配設するとよい。
【００１０】
【作用】
上記構成の遊技機用施錠装置では、施錠装置本体側に鉤部材はなく、突出物のない基枠の形状がそのまま前扉の内側に取り付けられ、且つ筐体の内側に取り付けられる受け金具には、鉤部材が配設されるものの、その基枠の内側に配置されて基枠によりカバーされる状態になるため、鉤部材が受け金具の基枠から突出することはなく、不正解錠を防止できると共に、保守点検作業などの際に鉤部材が作業の邪魔になる不具合を防止することができる。
【００１１】
遊技機の前扉を筐体に対し閉じると、施錠装置本体側の上部と下部の係止部が、受け金具側の上部と下部の鉤部材に当ってこれを傾動させ、その後、元の位置に戻るようにばね力により回動し、鉤部材が係止部に係止されて施錠状態となる。施錠状態において、シリンダ錠の非操作時には、施錠装置本体側の摺動杆がカム部材との係合によって移動を阻止され、受け金具側の鉤部材は単独で傾動可能とされるが、針金などで両方の鉤部材を同時に傾動させることは難しく、不正解錠を防止することができる。また、鉤部材は、施錠時、施錠装置本体の基枠と受け金具の基枠により両側をカバーされた状態となるため、不正な針金などが鉤部材に届きにくく、不正解錠を防止することができる。
【００１２】
前扉を解錠する場合は、キーをシリンダ錠に差し込み回すと、カム部材が回転してカム部材と係合する摺動杆を摺動させる。これにより、摺動杆の上部と下部に設けた解錠動作部が受け金具側の上と下の鉤部材の先端部を解錠側に押すように動作する。このとき、上と下の鉤部材が解錠側に傾動して、施錠装置本体側の係止部との係合が外れ、前扉は解錠されて開放可能な状態となる。
【００１３】
【発明の実施の形態】
以下、本発明の実施例を図面に基づいて説明する。図１は施錠装置本体Ｈの右側面図を、図２はその背面図を、図３はその分解側面図を示している。１は取付板２と支持板３を断面略コ字形に曲折して、アングル材状に一体成形してなる縦長の基枠で、取付板２には複数の取付孔が穿設される。
【００１４】
支持板３の上部と下部には、幅広部が形成され、その幅広部に後述の受け金具２０側の鉤部材２４，２５を係止させるための係止部４，５が、支持板３の金属板の一部を直角に（取付板２と平行に）曲折させて形成されている。さらに、その上部の係止部４に下側に、滑り部材１５が取り付けられる。滑り部材１５は、前扉の閉鎖時に、受け金具２０側の滑り支持板３０に乗り上げて前扉を持ち上げるように作用するもので、滑動性の良い合成樹脂で形成され、支持板３の突出部分に取り付けられる。
【００１５】
さらに、摺動杆６が基枠１内にその支持板３にそって上下摺動可能に配設される。摺動杆６の摺動は所定の範囲内に設定され、そのために、摺動杆６にはガイド孔６ｂ、６ｃ、６ｄが穿設される。それらのガイド孔にはピン１０，１１，１２が挿入され、各ピン１０，１１，１２の先端は支持板３の各部分に固定される。それらのピン１０，１１，１２とガイド孔６ｂ、６ｃ、６ｄとの係合により、摺動杆６は摺動可能に保持される。
【００１６】
摺動杆６は、施錠状態において係止部４，５に係止された鉤部材２４，２５の係止状態を解除する機能を有する部材で、その上部と下部には、係止部４，５に係止された鉤部材２４，２５を押上げるように作用してその係止を解除するための解錠動作部６１，６２が、先端を内側に曲折した状態で設けられている。この解錠動作部６１，６２は、支持板３に設けた係止部４，５の内側に隠れるように配置され、係止部４，５にカバーされることにより、不正に差し込まれた針金などが届きにくくなり、不正解錠をしにくくしている。
【００１７】
また、摺動杆６の中間部には、解錠操作時に摺動動作するために、後述のカム部材８と係合可能な係合部６ａが形成されている。さらに、摺動杆６と取付板２間にコイルばね１４がかけられ、摺動杆６はコイルばね１４により下方に付勢され、摺動杆６の下端が支持板３の下端の折り曲げ部に当接した位置で、摺動杆６は静止する。
【００１８】
取付板２の中間部に、シリンダ錠７を取り付けるための孔が形成され、シリンダ錠７は基枠１の外側からその錠軸７ａを挿入するように差し込み固定される。さらに、シリンダ錠７の錠軸７ｂには第一係合部８ａと第二係合部８ｂを持つカム部材８が固定される。図２におけるカム部材８の反時計方向への回転時に、第一係合部８ａは摺動杆６の係合部６ａと係合可能であり、シリンダ錠７にキーを差し込んで右に回した際、錠軸７ｂとカム部材８が同方向（図２の反時計方向）に回動し、そのとき、カム部材８の第一係合部８ａが摺動杆６の係合部６ａに係合してそれを押し上げて、解錠動作する。
【００１９】
一方、支持板３と摺動杆６の間に、スイッチ作動杆９が摺動可能に配設される。このスイッチ作動杆９は、中間部に作動片９１を側方に突出するように設けて形成され、ガイド孔９ｂと係合部９ａが設けられる。ガイド孔９ｂには上記のガイド用のピン１１が挿通され、スイッチ作動杆９を所定の範囲で摺動可能にガイドする。係合部９ａはカム部材８の第二係合部８ｂと係合可能に形成され、シリンダ錠７によってカム部材８が図２の時計方向に回動した時、スイッチ作動杆９が下方に摺動し、光電スイッチなどの図示しない非接触スイッチをオンオフさせる。非接触スイッチは施錠装置本体Ｈの基枠１の支持板３の外側に取り付けられる。
【００２０】
このように、シリンダ錠７を取り付けた施錠装置本体Ｈには、摺動杆６とスイッチ作動杆９が配設されるだけで、従来の施錠装置のような基枠から背面側に突出した鉤部材は、この施錠装置本体Ｈには設けられてなく、簡単な構成となっている。
【００２１】
一方、上記施錠装置本体Ｈに対向して、遊技機の本体枠側に取り付けられる受け金具２０は、図４〜図６に示すように、縦長の基枠２１の上部と下部に鉤部材を取り付けるための支持部２２，２３を幅広に形成し、その支持部２２，２３の側部に鉤部材２４，２５を傾動可能に枢支して構成される。
【００２２】
支持部２２，２３は、基枠２１の上部と下部において略コ字状に曲折して少し厚く形成され、その支持面に鉤部材２４，２５がピン２６、２７を介して傾動可能に軸支される。支持部２２，２３は正面視で見えるように基枠２１より厚く形成され、これにより、受け金具２０の基枠２１よりその支持面が内側に離れて位置するように構成され、その支持面に軸支される鉤部材２４，２５の先端部を基枠２１から離すようにしている。これにより、前扉の閉鎖時に、受け金具２０の基枠２１と施錠装置本体Ｈの係止部４，５が干渉せずに、鉤部材２４，２５が係止部４，５に良好に係止されるようにしている。また、図４，５に示すように、支持部２２，２３は、基枠２１の左側（正面から見て）に設けられ、基枠２１の右側から見た場合、鉤部材２４，２５が完全に基枠２１の内側に隠れるように構成される。
【００２３】
さらに、各鉤部材２４，２５の末端と支持部２２，２３の間には、コイルばね２８，２９がかけられ、各鉤部材２４，２５は、略水平に軸支された状態でコイルばね２８，２９によりその先端を下方に向けるように付勢される。鉤部材２４，２５は、コイルばね２８，２９に付勢された状態で、その上縁部が支持部２２，２３の凸部２２ａ，２３ａに当接し略水平位置に静止する。さらに、受け金具２０の基枠２１の上部には、上記施錠装置本体Ｈ側の滑り部材１５が乗り上げるための滑り支持板３０が金属板の一部を略水平に曲折して設けられる。
【００２４】
このように構成された施錠装置は、図７に示すように、スロットマシンなどの遊技機における前扉４１の内側の自由端側に、その施錠装置本体Ｈが、シリンダ錠７の先端を前面に露出させ、取付板２を用いて縦に取付けられる。
【００２５】
一方、遊技機の筐体４０の内側には受け金具２０が正面から向かって右側の側壁に縦に固定され、その受け金具２０の上下の鉤部材２４，２５の位置は、本体側の係止部４，５の水平位置に合わせるように設定される。この受け金具２０は、筐体４０の内部に固定され、且つ鉤部材２４，２５は基枠２１と支持部２２，２３に内側に配設されるため、鉤部材２４，２５が基枠２１の外に突出することはなく、保守点検作業などの邪魔になることはない。
【００２６】
このような遊技機用施錠装置は、遊技機における前扉４１を筐体４０に対し閉じると、図８に示すように、施錠装置本体Ｈ側の上下の係止部４，５が、受け金具２０側の上下の鉤部材２４、２５に当ってこれを上側に傾動させる。このとき、上下の鉤部材２４，２５はコイルばね２８，２９の付勢力に抗してピン２６，２７を支点に上方に回動し、その後、元の位置に戻るようにばね力により回動し、図９に示すように、鉤部材２４，２５が係止部４，５に係止されて施錠状態となる。このとき、施錠装置本体Ｈ側の滑り部材１５が受け金具２０側の滑り支持板３０に乗り上げ、前扉４２が持ち上げられるように作用し、重量の重い前扉４１であっても、筐体４０の前面の正常な位置に閉鎖される。
【００２７】
このような図９の施錠状態において、鉤部材２４，２５は、施錠装置本体Ｈの基枠１と受け金具２０の基枠２１との間で覆われるように位置し、且つカム部材８の第一係合部８ａが摺動杆６の係合部内に進入し、摺動杆６の上昇を阻止する状態となるため、この状態で、仮に不正解錠を意図する者が、針金などを前扉の隙間から差し込んで、その先端を摺動杆６や鉤部材２４，２５に引っ掛けて、解錠方向に移動させようとしても、摺動杆６は動かず、鉤部材２４，２５に針金などは届きにくく、不正解錠を防止することができる。また、仮に鉤部材２４，２５に針金などが届いたとしても、鉤部材２４と２５は単独で傾動するために、解錠するためには同時に解錠方向に傾動させる必要があり、これによって、不正解錠を防止することができる。
【００２８】
前扉４１を解錠する場合は、図１０のように、キーをシリンダ錠７に差し込みその錠軸を回し、カム部材８を図２の反時計方向に回転させると、カム部材８の回転により、係合部８ａが同方向に回動して摺動杆６側の係合部６ａに係合し、その係合部６ａつまり摺動杆６を上方に摺動させる。このとき、図１０のように、摺動杆６が上方に摺動し、その上部と下部の解錠動作部６１，６２が受け金具２０側の上下の鉤部材２４，２５の頭部を押上げるように動作する。これにより、上下の鉤部材２４，２５が上側に回動し、施錠装置本体Ｈ側の係止部４，５との係合が外れ、前扉４１は開放可能な状態となる。
【００２９】
一方、シリンダ錠７に差し込んだキーを左側に回すと、カム部材８が同方向に回動し、その第二係合部８ｂがスイッチ作動杆９の係合部９ａに係合してそれを下降させる。このスイッチ作動杆９の下降動作により、その作動片９１が非接触スイッチに作用し、スイッチ信号が出力される。
【００３０】
このように、本施錠装置では、施錠装置本体Ｈ側に鉤部材はなく、基枠１の平坦な形状がそのまま前扉４１の内側に取り付けられ、且つ筐体４０の内側に取り付けられる受け金具２０は、鉤部材２４，２５が配設されるものの、支持部２２，２３の内側に配置されるため、鉤部材２４，２５が基枠２１から突出することはなく、保守点検作業などの際に鉤部材２４，２５が作業の邪魔になることはない。また、施錠状態では、鉤部材２４，２５は施錠装置本体Ｈの基枠１と受け金具２０の基枠２１によりカバーされる状態となるため、不正な針金などは届きにくく、不正解錠を防止することができる。さらに、カム部材８の係合により摺動杆６の解錠方向への移動を阻止するから、仮に前扉の隙間から針金などを差し込んで、摺動杆６を解錠方向に動かそうとしても、それが不可能となり、また、鉤部材２４，２５は単独で傾動するため、針金などで両方の鉤部材２４，２５を同時に傾動させることは難しく、不正解錠を防止することができる。
【００３１】
なお、上記の実施形態では、スロットマシン用の施錠装置について説明したが、パチンコ機の施錠装置に本施錠装置を適用することもでき、その場合には、ガラス枠を施錠・解錠するためのガラス枠施錠杆、或いはガラス枠を解錠するためのガラス枠解錠杆を、付加する構造とすればよい。この場合には、上記支持板３と摺動杆６との間にガラス枠解錠杆、或は取付板２の内側にガラス枠施錠杆を摺動可能に配設し、カム部材８に突設した第二係合部により、キーを左側に回し、カム部材８が同方向に回動したとき、その第二係合部をガラス枠解錠杆またはガラス枠施錠杆に係合させ、それを下方に摺動させて、ガラス枠の解錠を行うようにすればよい。
【００３２】
【発明の効果】
以上説明したように、本発明の遊技機用施錠装置によれば、施錠装置本体側に鉤部材はなく、突出物のない基枠の形状がそのまま前扉の内側に取り付けられ、且つ筐体の内側に取り付けられる受け金具には、鉤部材が配設されるものの、支持部の内側に配置されるため、鉤部材が受け金具の基枠から突出することはなく、保守点検作業などの際に鉤部材が作業の邪魔になる不具合を防止することができる。また、鉤部材を受け金具の基枠の内側に配設するように構成すれば、施錠状態においては、鉤部材が施錠装置本体の基枠と受け金具の基枠によりカバーされた状態とすることができるから、針金などを使用した不正解錠を防止することができる。さらに、シリンダ錠の非操作時、摺動杆の係合部にカム部材を係合させた状態として、摺動杆の摺動を阻止するように構成すれば、シリンダ錠の非操作時、施錠装置本体側の摺動杆がカム部材との係合によって移動を阻止され、不正解錠を防止することができる。
【図面の簡単な説明】
【図１】本発明の一実施形態を示す施錠装置本体の右側面図である。
【図２】施錠装置本体の背面図である。
【図３】施錠装置本体の分解側面図である。
【図４】受け金具の右側面図である。
【図５】受け金具の正面図である。
【図６】受け金具の分解側面図である。
【図７】装置の使用状態の側面図である。
【図８】前扉を閉じる際の側面図である。
【図９】前扉を閉じた状態の側面図である。
【図１０】前扉を解錠する際の側面図である。
【符号の説明】
１−基枠
２−取付板
３−支持板
４、５−係止部
６−摺動杆
６ａ−係合部
６１、６２−解錠動作部
７−シリンダ錠
８−カム部材
８ａ−第一係合部
２０−受け金具
２１−基枠
２２、２３−支持部
２４，２５−鉤部材
Ｈ−施錠装置本体
【図１】
2004254935.tif 000003
【図２】
2004254935.tif 000004
【図３】
2004254935.tif 000005
【図４】
2004254935.tif 000006
【図５】
2004254935.tif 000007
【図６】
2004254935.tif 000008
【図７】
2004254935.tif 000009
【図８】
2004254935.tif 000010
【図９】
2004254935.tif 000011
【図１０】
2004254935.tif 000012